(57)【要約】      （修正有）【課題】光ディスクの記録または再生に供するピックアップ装置の発熱部位に生ずる熱を好適に放熱する。【解決手段】ピックアップ装置５は、レーザ光を照射する光源を備えるピックアップ装置であって、光源を駆動する駆動手段１０２と、駆動手段及びピックアップ装置の外部と電気的に接続される端子を備え、且つ長辺方向に伸張する接続手段１２１と、駆動手段と熱的に接続されると共に、接続手段の長辺方向に沿って接続手段上に配置される放熱手段１３１とを備える。【選択図】図３
2008059712.tif 000002
【特許請求の範囲】
【請求項１】
レーザ光を照射する光源を備えるピックアップ装置であって、
前記光源を駆動する駆動手段と、
前記駆動手段及び当該ピックアップ装置の外部の少なくとも一方と電気的に接続される端子を備え、且つ長辺方向に伸張する接続手段と、
前記駆動手段と熱的に接続されると共に、前記接続手段の長辺方向に沿って前記接続手段上に配置される放熱手段と
を備えることを特徴とするピックアップ装置。
【請求項２】
前記放熱手段は、一又は複数の凹凸部が形成されていることを特徴とする請求項１に記載のピックアップ装置。
【請求項３】
前記一又は複数の凹凸部は、前記一又は複数の凹凸部が前記接続手段の長辺方向に沿って伸張するように形成されていることを特徴とする請求項２に記載のピックアップ装置。
【請求項４】
前記放熱手段は、前記駆動手段、前記接続手段、前記光源と前記接続手段との間の部分及び前記駆動手段と前記接続手段との間の部分の少なくとも一部を覆うように配置されることを特徴とする請求項１に記載のピックアップ装置。
【請求項５】
前記放熱手段は、一枚の板部材から形成されることを特徴とする請求項１に記載のピックアップ装置。
【発明の詳細な説明】
【技術分野】
【０００１】
本発明は、例えばＣＤ（Ｃｏｍｐａｃｔ  Ｄｉｓｃ：ＣＤ）、ＤＶＤ及びＢＤ（Ｂｌｕ-ｒａｙ  Ｄｉｓｃ）のような一又は複数種類の光ディスクの記録又は再生に供するピックアップ装置の技術分野に関する。
【背景技術】
【０００２】
この種のピックアップ装置の動作安定性を確保する上で、例えばレーザ光源体を駆動するための駆動回路のような発熱部位の温度上昇を抑制する必要がある。
【０００３】
このような要請に応えるため、回路基板上に放熱板を設ける技術が採用され得る。この技術では、発熱部位に生じた熱を放熱板へと伝導させ、該伝導してきた熱を放熱板の周辺気体に伝導させることで、発熱部位の温度上昇を抑制している。つまり、発熱部位から発せられる熱が放熱板から放熱されることにより、発熱部位の温度上昇を抑制している。
【０００４】
【特許文献１】特開平７−４５９２２号公報
【発明の開示】
【発明が解決しようとする課題】
【０００５】
近年の技術の発達により、駆動回路の回路構成が複雑になる等の要因により、発熱部位の発熱量が大きくなってきている。この場合、放熱板の厚みを大きくしたり、例えば複数枚の板金を組み合わせて構成される（言い換えれば、１枚の板金では構成することができない）複雑な形状の放熱板を採用することで、放熱板による放熱を促進する方法が考えられる。このような複雑な形状は、放熱板を製造する際のコストの上昇にもつながりかねない。他方で、放熱板の厚みを薄くしたままでは、外圧によって放熱板が変形し、その結果、回路基板上の端子と短絡してしまう恐れがある。
【０００６】
本発明は、例えば上述した従来の問題点に鑑みなされたものであり、例えば発熱部位に生ずる熱を好適に放熱することが可能なピックアップ装置を提供することを課題とする。
【課題を解決するための手段】
【０００７】
上記課題を解決するために、請求項１に記載のピックアップ装置は、レーザ光を照射する光源を備えるピックアップ装置であって、前記光源を駆動する駆動手段と、前記駆動手段及び当該ピックアップ装置の外部の少なくとも一方と電気的に接続される端子を備え、且つ長辺方向に伸張する接続手段と、前記駆動手段と熱的に接続されると共に、前記接続手段の長辺方向に沿って前記接続手段上に配置される放熱手段とを備える。
【０００８】
本発明の作用及び他の利得は次に説明する実施の形態から明らかにされよう。
【発明を実施するための最良の形態】
【０００９】
以下、発明を実施するための最良の形態として、本発明のピックアップ装置に係る実施形態の説明を進める。
【００１０】
本発明のピックアップ装置に係る実施形態は、レーザ光を照射する光源を備えるピックアップ装置であって、前記光源を駆動する駆動手段と、前記駆動手段及び当該ピックアップ装置の外部の少なくとも一方と電気的に接続される端子を備え、且つ長辺方向に伸張する接続手段と、前記駆動手段と熱的に接続されると共に、前記接続手段の長辺方向に沿って前記接続手段上に配置される放熱手段とを備える。
【００１１】
本発明のピックアップ装置に係る実施形態によれば、レーザダイオード等の光源が、例えばドライバＩＣ等の駆動回路の動作によって駆動される。これにより、光源からレーザ光が照射される。その結果、例えばＣＤ、ＤＶＤ及びＢＤ等の光ディスクに対する記録動作や再生動作を行うことができる。
【００１２】
本実施形態に係るピックアップ装置は特に、後述する接続コネクタ等の接続手段を、例えば駆動手段が配置される回路基板上に備えている。接続手段は、長辺方向に伸張するような形状を有している。尚、「長辺方向に伸張する」とは、接続手段を構成する一の辺が、該一の辺に隣接する他の辺よりも長いと共に、該一の辺に沿って長く伸びた形状を有することを示している。より具体的には、接続手段は、その断面が長方形等の形状を有している。
【００１３】
そして、接続手段上には、接続手段の長辺方向に沿って、駆動手段と熱的に接続される放熱手段が配置される。より具体的には、放熱手段は、接続手段の長辺方向に伸張するような形状を有していると共に、該接続手段の長辺方向に沿うように接続手段上に配置される。ここで「熱的に接続されている」とは、直接的にあるいは熱伝導ゲル等の媒体を介して間接的に、熱の移動が可能な状態をいう。
【００１４】
このような構成を有するピックアップ装置によれば、放熱手段の形状或いは面積を相対的に大きくすることができる。このため、駆動手段において生ずる熱を好適に放熱手段に放熱することができる。その結果、駆動手段の温度上昇を好適に抑制することができる。
【００１５】
更に、放熱手段が接続手段上に配置されるため、放熱手段の強度（特に、放熱手段の曲がりやねじれに対する強度）を確保することができる。つまり、放熱手段を接続手段上に配置するがゆえに、放熱手段が接続手段により支持され、その結果、放熱手段の強度を確保することができる。これに伴って、放熱手段の厚みを小さくする（つまり、薄くする）ことができるため、放熱手段の製造に係るコストも相対的に削減することができる。
【００１６】
加えて、接続手段の端子や接続手段の周辺の回路基板が放熱手段により覆われるように、放熱手段を接続手段上に配置すれば、当該ピックアップ装置を扱う人員が、接続手段の端子や回路基板上の端子又は電子部品に接触してしまう不都合をも好適に防ぐことができる。これにより、接続手段の端子や回路基板上の端子又は電子部品の破損や短絡（つまり、ショート）を好適に防ぐことができる。更には、ゴミやチリ等の付着に起因した、接続手段の端子や回路基板上の端子又は電子部品の短絡をも好適に防ぐことができる。
【００１７】
本発明のピックアップ装置に係る実施形態の一の態様は、前記放熱手段は、少なくとも一部に一又は複数の凹凸部（具体的には、例えば絞り加工による絞り等）が形成されている。
【００１８】
この態様によれば、一又は複数の凹凸部により、該凹凸部が形成されていない放熱手段と比較して、表面積を増加させることができる。このため、放熱手段から周辺気体への放熱をより促進することができる。これにより、駆動手段において生ずる発熱をより好適に放熱手段に放熱させることができ、駆動手段の温度上昇をより好適に抑制することができる。
【００１９】
上述の如く一又は複数の凹凸部を備えるピックアップ装置の態様では、前記一又は複数の凹凸部は、前記一又は複数の凹凸部が前記接続手段の長辺方向に沿って伸張するように形成されている。
【００２０】
このように構成すれば、凹凸部の存在によって、放熱手段の強度（特に、接続手段の長辺方向における曲がりやねじれに対する強度）を、より大きく確保することができる。
【００２１】
本発明のピックアップ装置に係る実施形態の他の態様は、前記放熱手段は、前記駆動手段、前記接続手段、前記光源と前記接続手段との間の部分及び前記駆動手段と前記接続手段との間の部分の少なくとも一部を覆うように配置される。
【００２２】
この態様によれば、光源と接続手段との間の回路基板の一部や駆動手段と接続手段との回路基板の一部が放熱手段により覆われる。このため、当該ピックアップ装置を扱う人員が、回路基板上の端子又は電子部品に接触してしまう不都合をも好適に防ぐことができる。これにより、回路基板上の端子又は電子部品の破損や短絡（つまり、ショート）を好適に防ぐことができる。更には、ゴミやチリ等の付着に起因した、回路基板上の端子又は電子部品の短絡をも好適に防ぐことができる。
【００２３】
本発明のピックアップ装置に係る実施形態の他の態様は、前記放熱手段は、一枚の板部材から形成される。
【００２４】
この態様によれば、一枚の板部材に対する切削加工や絞り加工等によって放熱手段を形成することができる。これにより、放熱手段の製造に係るコストを相対的に削減することができる。
【００２５】
本実施形態のこのような作用及び他の利得は次に説明する実施例から更に明らかにされよう。
【００２６】
以上説明したように、本発明のピックアップ装置に係る実施形態によれば、駆動手段と、長辺方向に伸張する接続手段と、駆動手段と熱的に接続されると共に、接続手段の長辺方向に沿って接続手段上に配置される放熱手段とを備える。従って、駆動手段等の発熱部位に生ずる熱を好適に放熱することができる。
【実施例】
【００２７】
以下、本発明の実施例を図面に基づいて説明する。
【００２８】
（１）ディスク装置の構成
先ず、本実施例に係るピックアップ装置を備えたディスク装置の構成について、図１を参照して説明する。ここに、図１は、本実施例に係るピックアップ装置を備えたディスク装置の分解斜視図である。
【００２９】
図１において、ディスク装置１は、ＤＶＤやＣＤ等の光ディスク４１に記録された情報を再生したりあるいは光ディスク４１に情報を記録したりするディスク装置であり、外ケース２１と、外ケース２１の内部に設置された内ケース２５と、内ケース２５に対して進退可能に設けられ光学記録媒体としての光ディスク４１が載置されるディスクトレイ２９と、内ケース２５に設けられ光ディスク４１に対して情報の再生または記録を行う本体部３２と、本体部３２の動作を制御する電子部品を有する制御基板４０とを備えて構成されている。
【００３０】
外ケース２１は、図１中において下面及び前面が開口した上ケース２２と、上ケース２２の下面を閉塞する下ケース２３と、上ケース２２の前面を閉塞する化粧板２４とを備えて構成され、全体としては扁平直方体形状である。
【００３１】
内ケース２５は、上面及び前面が開口し、略中央に孔部２６１を有する底面２６と、この底面２６から立設された側面２７を有する。
【００３２】
ディスクトレイ２９は、略板状で上面には上方に向けて拡径する円形凹状で光ディスク４１が載置される載置凹部３０を有する。このディスクトレイ２９は、略中央部に略長方形状の開口部３１を有する。このディスクトレイ２９は、内ケース２５に設けられたトレイ駆動手段２８により進退される。
【００３３】
本体部３２は、中央に孔部３３１を有し内ケース２５に設置された台座部３３と、台座部３３に設けられ光ディスク４１を回転させる回転駆動手段３４と、台座部３３の孔部３３１の一縁から他縁に移動し光ディスク４１の下面側に設けられた記録部に対してレーザ光の照射及び反射光の検出を行うピックアップ装置５と、ピックアップ装置５を進退移動させる移動手段３７とを備えて構成されている。ここで台座部３３は、平板枠状に形成されており、内ケース２５の孔部２６１に対して台座部３３の孔部３３１が重なるように設置されている。回転駆動手段３４は、光ディスク４１を載せて回転するターンテーブル３５と、このターンテーブル３５を回転駆動させる動力源としてのスピンドルモータ（不図示）とを備えて構成されている。ターンテーブル３５は、光ディスク４１の中心孔４１１に嵌挿される回転軸３５１と、回転軸３５１の外周面にフランジ状に突設され光ディスク４１の軸孔周縁が載置される鍔部３５２を有している。光ディスク４１がディスクトレイ２９に載置され内ケース２５の内側に移動されてきた際には、光ディスク４１はターンテーブル３５上に載置され、また、光ディスク４１の上面は内ケース２５の側面２７に架橋された支持部材３６に回転自在に設けられた回転子３６１により押さえられる。光ディスク４１がターンテーブル３５と回転子３６１とにて挟持された状態でスピンドルモータの駆動力により回転される。ピックアップ装置５については、図２を参照して後述する。移動手段３７は、一対のガイドシャフト３８と、移動用モータ３９とを備えて構成されている。ガイドシャフト３８は、それぞれ台座部３３の孔部３３１の一縁から他縁に軸方向を有して配設されている。ピックアップ装置５に対してガイドシャフト３８が挿通または係合されている。移動用モータ３９の駆動力によりピックアップ装置５は台座部３３の一縁から他縁に移動される。
【００３４】
制御基板４０は、ピックアップ装置５の下方にピックアップ装置５から所定間隔を有して設けられている。回路基板４０は、移動用モータ３９やスピンドルモータの回転制御等を行う電子部品を有している。
【００３５】
（２）情報の読み取りについて
以上のような構成からなるディスク装置１による光ディスク４１の情報の読み取りについて説明する。先ず、ユーザがディスクトレイ２９を外ケース２１及び内ケース２５から外に引き出してディスクトレイ２９に光ディスク４１を載置する。光ディスク４１が載置されたディスクトレイ２９が、内ケース２５の内部に収納される。すると、ターンテーブル３５と回転子３６１に光ディスク４１が挟持されて、ターンテーブル３５の回転により光ディスク４１が回転される。このとき、ピックアップ装置５からレーザ光が光ディスク４１に向かって発射され、光ディスク４１からの反射光はピックアップ装置５で検出される。この反射光の検出により光ディスク４１から情報が読み出される。また、ピックアップ装置５は、移動手段３７による移動によって光ディスク４１の所定部分にレーザ光を照射する。すると、光ディスク４１から所定の情報が順次読み出される。
【００３６】
（３）ピックアップ装置の構成について
次に、ピックアップ装置５の構成について、図２を参照しながら説明を加える。ここに、図２は、本実施例に係るピックアップ装置の、図１中のＩＩの方向における断面を概念的に示す断面図である。尚、既出の構成と同一の構成については同一の参照符号を付し、その説明を適宜省略する。
【００３７】
図２において、ピックアップ装置５は、筐体としてのピックアップベース５１と、ピックアップベース５１に配設され光ディスク４１に光束を照射する光源としてのレーザ光源体６１と、レーザ光源体６１から発射されたレーザ光を光ディスク４１に向かって導くための光学部品８２とを備えて構成されている。
【００３８】
ピックアップベース５１は、概略厚板形状で、一縁側がスピンドルモータ３４１の円形状にあわせて円弧状５２（図３の上面図を参照）に形成されている。ピックアップベース５１は、合成樹脂などにより形成されている。ピックアップベース５１には、一方のガイドシャフト３８が挿通される挿通孔５３が一端に設けられ、また、断面略Ｕ字状で他方のガイドシャフト３８をＵ字の内側に挟む係合部５４が他端に設けられている。ピックアップベース５１は、レーザ光源体６１や光学部品を一面側（図２中下側）に有している。他方で、レーザ光を光ディスク４１に向かって発射するレーザ発射部５７を他面側（図２中上側）に有している。
【００３９】
レーザ光源体６１は、一端面がレーザ光源体収納部から外部に臨んでおり、この一端面に電力ケーブル（不図示）等が接続されるコネクタピンを有する。このレーザ光源体６１は、ＤＶＤ再生用のレーザ光を出力するＤＶＤ用レーザチップと、ＣＤ再生用のレーザ光を出力するＣＤ用レーザチップとを備え、二つの異なる波長のレーザ光を出力することができる。
【００４０】
光学部品８２は、レーザ光源体６１から発射されたレーザ光を光ディスク４１に向かって導く。光学部品８２として、レーザ光源体６１からのレーザ光を直角にかつピックアップベース５１の一面側に平行に反射するハーフミラー８２１と、ハーフミラー８２１からの反射光を直角にかつピックアップベース５１の他面側に反射する反射ミラー８２２などが設けられている。反射ミラー８２２によりピックアップベース５１の他面側に反射されたレーザ光は、レーザ発射部５７から光ディスク４１に向かって照射される。また、光学部品８２は、光ディスク４１からの反射光を検出するＰＤ（Photo Detector）等も備えている。
【００４１】
（４）ピックアップ装置の詳細な構成について
続いて、図３から図５を参照して、本実施例に係るピックアップ装置５のより詳細な構成について説明する。ここに、図３は、図１のｚ軸方向からピックアップ装置を観察した場合の、本実施例に係るピックアップ装置の上面を概念的に示す上面図であり、図４は、図３におけるＡの方向から観察した場合の、本実施例に係るピックアップ装置の側面を概念的に示す側面図であり、図５は、図３におけるＢの方向から観察した場合の、本実施例に係るピックアップ装置の側面を概念的に示す側面図である。
【００４２】
図３に示すように、本実施例に係るピックアップ装置５は、ピックアップベース５１及び回路基板１０１上に上述した各種構成が配置されることで構成されている。
【００４３】
特に、回路基板１０１上には、レーザ光源体６１を駆動するＬＤＤ（レーザダイオードドライバ）１０２と、当該ピックアップ装置５と制御基板４０とを、例えばフレキシブルプリント配線により接続するための接続コネクタ１２１とが配置されている。
【００４４】
ＬＤＤ１０２は、本発明における「駆動手段」の一具体例を構成しており、制御基板４０より接続コネクタ１２１を介して出力される制御信号に基づいて、所望のパワー及び所望のタイミングでレーザ光源体６１よりレーザ光が出力されるようにレーザ光源体６１を駆動する。ＬＤＤ１０２は、例えばＩＣ等の集積回路から構成されている。
【００４５】
接続コネクタ１２１は、本発明における「接続手段」の一具体例を構成しており、制御基板４０に一端が接続されるフレキシブルプリント配線が接続されるコネクタである。接続コネクタ１２１は、樹脂等により構成されており、その形状は例えば直方体となっている。そして、接続コネクタ１２１は、その内部に数本から数十本の金属ピンを備えており、該金属ピンにフレキシブルプリント配線の対応する端子が接続されることで、制御基板４０との間で制御信号の入出力を行うことができる。
【００４６】
本実施例では特に、ＬＤＤ１０２を覆うと共に、接続コネクタ１２１の長辺に沿った方向に伸張する形状（本実施例では、Ｌ字型の形状）を有する放熱板１３１が、回路基板１０１、ＬＤＤ１０２及び接続コネクタ１２１上に配置される。放熱板１３１は、本発明における「放熱手段」の一具体例を構成している。
【００４７】
特に、放熱板１３１は、図４に示すように、熱伝導ゲル１３２によりＬＤＤ１０２と接着されていると共に、回路基板１０１に対してねじ止めされている。そして、放熱板１３１の一部（具体的には、接続コネクタ１２１の長辺に沿った方向に伸張する形状を有する部分）は、図５に示すように、接続コネクタ１２１上に配置されている。このとき、放熱板１３１は、接続コネクタ１２１と回路基板１０１とを接続するための端子１２２や、接続コネクタ１２１周辺における回路基板１０１の少なくとも一部を覆うように配置されることが好ましい。尚、接続コネクタ１２１と放熱板１３１とが密着するように構成していてもよいし、或いは所定の間隔をあけて隣接するように構成してもよい。
【００４８】
また、放熱板１３１には、図３に示すように、絞り加工により、接続コネクタ１２１の長辺方向に沿った且つ放熱板１３１の表面からへこんだ（つまり、図３の奥側にへこんだ）又は膨らんだ（つまり、図３の手前側に膨らんだ）形状の２本の絞り１３３が形成されている。
【００４９】
更に、放熱板１３１は、鉄、ステンレス、アルミニウム、銅またはその他の金属材料で形成されている。特に、本実施例においては、放熱板１３１は、切削加工や絞り加工等を用いて、１枚の板状の金属材料から形成されている。
【００５０】
この放熱板１３１を利用して行われる、ＬＤＤ１０２から発せられる熱の放熱について説明する。レーザ光源体６１からレーザ光が発射される際には、レーザ光源体６１を駆動するためのＬＤＤ１０２が熱を発する。ＬＤＤ１０２から発生した熱は、ＬＤＤ１０２の一端面から熱伝導ゲル１３２に伝わり、更に、放熱板１３１に伝導する。この熱は、やがて放熱板１３１全体に伝熱され、放熱板１３１の外気に触れる部分から外部の空気に対して放熱される。
【００５１】
特に、放熱板１３１を接続コネクタ１２１に沿って配置できるため、放熱板１３１の表面積を相対的に大きく取ることができる。このため、ＬＤＤ１０２において生ずる熱を好適に放熱板１３１に放熱することができる。その結果、ＬＤＤ１０２の温度上昇を好適に抑制することができる。
【００５２】
更には放熱板１３１に形成される絞り１３３により、放熱板１３１の表面積をより一層増加させることができる。このため、放熱板１３１から外部の空気への放熱をより促進することができる。これにより、ＬＤＤ１０２において生ずる発熱をより好適に放熱板１３１に放熱させることができ、その結果、ＬＤＤ１０２の温度上昇をより好適に抑制することができる。
【００５３】
加えて、放熱板１３１が接続コネクタ１２１上に配置されるため、放熱板１３１の強度（特に、接続コネクタ１２１の長辺方向における曲がりやねじれに対する強度）を好適に確保することができる。つまり、放熱板１３１を接続コネクタ１２１上に配置するがゆえに、放熱板１３１が接続コネクタ１２１により支持され、その結果、放熱板１３１の強度を確保することができる。これに伴って、放熱板１３１の厚みを小さくする（つまり、薄くする）ことができるため、放熱板１３１の製造に係るコストも相対的に削減することができる。
【００５４】
加えて、接続コネクタ１２１と回路基板１０１とを接続するための端子や接続コネクタ１２１の周辺における回路基板１０１上の端子や各種電子部品が放熱板１３１により覆われている。これにより、当該ピックアップ装置５を扱う人員（例えば、メーカの製造者や補修者や、或いはユーザ等）が、接続コネクタ１２１と回路基板１０１とを接続するための端子や回路基板１０１上の端子又は電子部品に接触してしまう不都合をも好適に防ぐことができる。これにより、接続コネクタ１２１と回路基板１０１とを接続するための端子や回路基板１０１上の端子又は電子部品の破損や短絡（つまり、ショート）を好適に防ぐことができる。更には、ゴミやチリ等の付着に起因した、接続コネクタ１２１と回路基板１０１とを接続するための端子や回路基板１０１上の端子又は電子部品の短絡をも好適に防ぐことができる。
【００５５】
加えて、放熱板１３１を１枚の板状の金属材料から形成することができるため、放熱板１３１の製造に係るコストを相対的に削減することができる。
【００５６】
尚、上述の実施例においては、放熱板１３１に２つの絞り１３２が形成される例について説明したが、もちろん絞り１３３が１つであってもよいし、絞り１３３が３つ以上であってもよいし、絞り１３３を設けていなくよい。このように構成しても、ＬＤＤ１０２において生じた熱を放熱することはできる。また、絞り１３３が、接続コネクタ１２１の長辺方向に沿っていなくともよい。このように構成しても、放熱板１３１の表面積を相対的に増加させることはできる。
【００５７】
また、絞り１３３に加えて又は代えて、放熱板１３１の表面積を相対的に増加させる構成（例えば、くぼみや突起等の凹凸部）を放熱板１３１に形成するように構成してもよい。このように構成しても、放熱板１３１の表面積を相対的に増加させることができる。
【００５８】
更に、放熱板１３１を１枚の板状の金属材料から形成しなくともよい。例えば、複数舞の板状の又は塊状の金属材料から形成してもよい。また、その加工方法（つまり、放熱板１３１の製造方法）は、どのような方法であってもよい。加えて、放熱板１３１を、金属材料以外の各種材料から形成するように構成してもよい。
【００５９】
本発明は、上述した実施例に限られるものではなく、請求の範囲及び明細書全体から読み取れる発明の要旨或いは思想に反しない範囲で適宜変更可能であり、そのような変更を伴なうピックアップ装置もまた本発明の技術的範囲に含まれるものである。
【図面の簡単な説明】
【００６０】
【図１】本実施例に係るピックアップ装置を備えたディスク装置の分解斜視図である。
【図２】本実施例に係るピックアップ装置の、図１中のＩＩの方向における断面を概念的に示す断面図である。
【図３】図１のｚ軸方向からピックアップ装置を観察した場合の、本実施例に係るピックアップ装置の上面を概念的に示す上面図である。
【図４】図３におけるＡの方向から観察した場合の、本実施例に係るピックアップ装置の側面を概念的に示す側面図である。
【図５】図３におけるＢの方向から観察した場合の、本実施例に係るピックアップ装置の側面を概念的に示す側面図である。
【符号の説明】
【００６１】
１  ディスク装置
５  ピックアップ装置
４１  光ディスク
５１  ピックアップベース
６１  レーザ光源体
１０１  回路基板
１０２  ＬＤＤ
１２１  接続コネクタ
１３１  放熱板
１３２  熱伝導ゲル
１３３  しぼり
【図１】
2008059712.tif 000003
【図２】
2008059712.tif 000004
【図３】
2008059712.tif 000005
【図４】
2008059712.tif 000006
【図５】
2008059712.tif 000007